(57)【要約】      （修正有）【課題】たまにバッテリ給電を利用するユーザにとって、知的に大幅にバッテリの寿命を伸ばし、爆発の確率を大幅に低減させる。【解決手段】初期充電開始点を設定するステップＳ３０２と、開始時のバッテリ残充電量を統計するための統計・分析区間を設定し、統計・分析区間内におけるパワーオン時のバッテリ残充電量を記録するための統計用配列を作成するステップＳ３０４と、現バッテリ残充電量を読み取り、順番に統計用配列に格納させるステップ３０６と、所定の適応アルゴリズムにより新しい充電開始点を計算するステップ３０８と、新しい充電開始点を初期充電開始点に更新させるステップ３１０とを含む携帯端末用バッテリの充電管理方法を提供する。また、携帯端末用バッテリの充電管理装置も提供する。【選択図】図３
2009017775.tif 000002
【特許請求の範囲】
【請求項１】
初期充電開始点を設定するステップと、
開始時のバッテリ残充電量を統計するための統計・分析区間を設定し、統計・分析区間内におけるパワーオン時のバッテリ残充電量を記録するための統計用配列を作成するステップと、
現バッテリ残充電量を読み取り、順番に前記統計用配列に格納させるステップと、
前記統計用配列を利用して、所定の適応アルゴリズムにより新しい充電開始点を計算するステップと、
前記新しい充電開始点で前記初期充電開始点を更新させるステップと
を含むことを特徴とする携帯端末用バッテリの充電管理方法。
【請求項２】
ＡＣ／ＤＣアダプタを前記携帯端末に接続して給電を始めるときに、前記現バッテリ残充電量を読み取る
ことを特徴とする請求項１に記載の携帯端末用バッテリの充電管理方法。
【請求項３】
前記統計・分析区間は、所定のパワーオン回数または所定の時間範囲である
ことを特徴とする請求項２に記載の携帯端末用バッテリの充電管理方法。
【請求項４】
前記統計用配列における要素は、Ａｓｏｃ（１）、Ａｓｏｃ（２）、…、Ａｓｏｃ（Ｎ）で示され、順番にＮ回のパワーオン時のバッテリ残充電量を記録し、前記要素の初期値を０とし、ただし、Ｎは１以上の整数である
ことを特徴とする請求項３に記載の携帯端末用バッテリの充電管理方法。
【請求項５】
前記充電開始点を計算するとき、まず、前記統計用配列に統計されている前記バッテリ残充電量に基づいて、前記携帯端末が前記ＡＣ／ＤＣアダプタから外された後の電力の最大消費量を計算する
ことを特徴とする請求項４に記載の携帯端末用バッテリの充電管理方法。
【請求項６】
次の式で、Ｕで示す前記電力の最大消費量を計算することを特徴とする請求項５に記載の携帯端末用バッテリの充電管理方法。
Ｕ＝Ｍａｘ（Ａｓｏｃ（２）−Ａｓｏｃ（１），…，Ａｓｏｃ（Ｎ）−Ａｓｏｃ（Ｎ−１））。
【請求項７】
前記新しい充電開始点として、次の式で、Ｓで示す第一の充電開始点を計算する
ことを特徴とする請求項６に記載の携帯端末用バッテリの充電管理方法。
Ｓ＝Ｍｉｎ（Ｍａｘ（Ｓｍｉｎ，Ｕ），Ｓｍａｘ）、
ただし、Ｓｍｉｎは最小の充電開始点で、Ｓｍａｘは最大の充電開始点である。
【請求項８】
Ｓｍｉｎ＝５、Ｓｍａｘ＝９６である
ことを特徴とする請求項７に記載の携帯端末用バッテリの充電管理方法。
【請求項９】
前記新しい充電開始点として、次の式で、Ｓ２で示す第二の充電開始点を計算する
ことを特徴とする請求項７に記載の携帯端末用バッテリの充電管理方法。
Ｓ２＝Ｓ＋（Ｓｍａｘ−Ｓ）＊ｃ、ただし、０＜ｃ＜１。
【請求項１０】
初期充電開始点を設定する初期充電開始点設定モジュールと、
開始時のバッテリ残充電量を統計するための統計・分析区間を設定する統計・分析区間設定モジュールと、
前記統計・分析区間内におけるパワーオン時のバッテリ残充電量を記録するための統計用配列を作成する統計用配列作成モジュールと、
現バッテリ残充電量を読み取り、順番に前記統計用配列に格納させる読取モジュールと、
前記統計用配列を利用して、所定の適応アルゴリズムにより新しい充電開始点を計算する計算モジュールと、
前記計算モジュールにより計算された前記新しい充電開始点で前記初期充電開始点を更新させる更新モジュールと
を含むことを特徴とする携帯端末用バッテリの充電管理装置。
【請求項１１】
ＡＣ／ＤＣアダプタを前記携帯端末に接続して給電を始めるときに、前記読取モジュールは、前記携帯端末の現バッテリ残充電量を読み取る
ことを特徴とする請求項１０に記載の携帯端末用バッテリの充電管理装置。
【請求項１２】
前記統計・分析区間は、所定のパワーオン回数または所定の時間範囲である
ことを特徴とする請求項１１に記載の携帯端末用バッテリの充電管理装置。
【請求項１３】
前記統計用配列における要素は、Ａｓｏｃ（１）、Ａｓｏｃ（２）、…、Ａｓｏｃ（Ｎ）で示され、順番にＮ回のパワーオン時のバッテリ残充電量を記録し、前記要素の初期値を０とし、ただし、Ｎは１以上の整数である
ことを特徴とする請求項１２に記載の携帯端末用バッテリの充電管理装置。
【請求項１４】
前記計算モジュールは、前記統計用配列に統計されている前記バッテリ残充電量に基づいて、前記携帯端末が前記ＡＣ／ＤＣアダプタから外された後の電力の最大消費量を計算する
ことを特徴とする請求項１３に記載の携帯端末用バッテリの充電管理装置。
【請求項１５】
前記計算モジュールは、次の式で、Ｕで示す前記電力の最大消費量を計算する
ことを特徴とする請求項１４に記載の携帯端末用バッテリの充電管理装置。
Ｕ＝Ｍａｘ（Ａｓｏｃ（２）−Ａｓｏｃ（１），…，Ａｓｏｃ（Ｎ）−Ａｓｏｃ（Ｎ−１））。
【請求項１６】
前記計算モジュールは、前記新しい充電開始点として、次の式で、Ｓで示す第一の充電開始点を計算する
ことを特徴とする請求項１５に記載の携帯端末用バッテリの充電管理装置。
Ｓ＝Ｍｉｎ（Ｍａｘ（Ｓｍｉｎ，Ｕ），Ｓｍａｘ）
ただし、Ｓｍｉｎは最小の充電開始点で、Ｓｍａｘは最大の充電開始点である。
【請求項１７】
Ｓｍｉｎ＝５、Ｓｍａｘ＝９６である
ことを特徴とする請求項１６に記載の携帯端末用バッテリの充電管理装置。
【請求項１８】
前記計算モジュールは、前記新しい充電開始点として、次の式で、Ｓ２で示す第二の充電開始点を計算する
ことを特徴とする請求項１６に記載の携帯端末用バッテリの充電管理装置。
Ｓ２＝Ｓ＋（Ｓｍａｘ−Ｓ）＊ｃ、ただし、０＜ｃ＜１。
【発明の詳細な説明】
【技術分野】
【０００１】
本発明は、充電可能なバッテリを備える携帯端末（例えば、ノートパソコン、スマートフォン）のバッテリに関し、より具体的に、携帯端末用バッテリの充電管理方法及び装置に関する。
【背景技術】
【０００２】
通常、ノートパソコンのような携帯端末に対する給電モードは、バッテリ給電モードと交流電力給電モードとに分かれている。バッテリ給電モードでは、携帯端末が充電可能なバッテリにより電源供給される。一方、交流電力給電モードでは、携帯端末が交流電力電源により電源供給される。より具体的には、ＡＣ／ＤＣアダプタから供給される外部直流電源により電源供給される。この場合、充電可能なバッテリは、予備状態または充電状態になる。以下、ノートパソコンを例として説明する。
【０００３】
ノートパソコンのバッテリの使用において、家庭用やオフィス用のノートパソコンは、常に交流電力を利用し、バッテリ給電を利用する場合が少ない。そのため、バッテリの自己放電やたまに利用されることによって（例えば、ユーザが交流電力を供給する前にパワーオンすること）、継ぎ足し充電を繰り返すとバッテリの劣化が早くなる。ユーザがバッテリをまだそれほど使っていないと感じるのに寿命が短くなって、１〜２年間を過ぎた後、バッテリがまったく使えない状況になることが多い。更に、バッテリの劣化によって使用中に爆発したら、ユーザにとって納得いかないことになる。
【０００４】
図１に、ノートパソコンのリチウムバッテリの充電過程を示す。なお、トリクル充電モードでは９６％〜１００％のバッテリ容量がある。従来、一つの充電開始点（例えば、図２に示すようにバッテリ残充電量＜９６％になると充電を開始）と一つの充電終了点（例えば、１００％、つまりバッテリ残充電量が１００％になると充電を終了）を設定し、９６％から１００％に継ぎ足し充電を行い、常にバッテリのフル充電状態を保つことによって、ノートパソコンを持ち歩きながら随時に使うユーザのニーズを満足させるということをノートパソコンの通常の充電対策とする。
【０００５】
しかし、図２に示すようなその充電対策により、たまにバッテリ給電を利用するユーザに対して、バッテリの充電が繰り返されることは、劣化が激しくなることに違いない。そして、バッテリの劣化のため、家庭用ノートパソコンのユーザが１〜２年間おきにノートパソコン用バッテリを取替えることが必要となる。実際に、ユーザはバッテリをほぼ使っていなかったと感じている。もしバッテリ爆発の現象が現れたら、ユーザに対して大きな損失になることに違いない。
【０００６】
今まで、バッテリに対する充電管理は、ユーザが手動操作できる（プッシュ或いはプレス）スイッチを設計し、バッテリパックとノートパソコンのメインボードにおける埋込み型コントローラ（ＥＣ）とのＳＭＣ信号を短絡させ、ＥＣにバッテリパックがなくなることを認識させることによって（よりよいやり方として、バッテリ存在信号ＢＡＴ＿ＰＲＥＳ＃を切断）ユーザに充電終了を決めさせることが発明されている。しかし、専門知識を持っていない普通のノートパソコンのユーザに、いつ充電終了を決めさせることは、もちろん科学的ではなく、役に立たないのである。
【０００７】
さらに、例えば、２００５年１２月２０日に中国特許局へ提出した２００５１０１３６２１０．４号の特許において、携帯型の電気装置のユーザの慣れている充電時間または慣れている充電場所（つまり、携帯装置の置き場所）により充電タイミングを判断し、そして残充電量により充電する必要があるかどうかを判断して、携帯型の電気装置のバッテリを充電する必要があるときに、ユーザに充電を提示するために警告を発するという携帯型の電気装置のバッテリ充電システムが提供された。これによるシステムは、ユーザの利用習慣によって実現されたことが分かる。
【０００８】
多くの場合は、ユーザが正しい方式あるいはバッテリにいい方式で充電を行うことができない。したがって、実際に、ユーザの充電習慣は、バッテリ自身の充電量維持とバッテリ寿命の延長に役に立つわけではない。一方、そのメカニズムを実現するには、人による操作が必要であるので、ユーザに快適な体験をもたらすことができない。
【０００９】
人による操作が要らない場合で、ユーザの具体的な利用状況によりバッテリの維持にいい方式で充電を行うかどうかを自動に決めて、ユーザにより操作を行うのがもちろん理想的である。しかし、現在、かかる技術がまだ実現されていない。
【００１０】
［発明内容］
本発明は、上記問題に鑑みてなされたものである。したがって、本発明の目的は、ユーザの携帯端末用バッテリに対する使用状況により異なる充電管理動作を行うことによって、かかる技術の中に存在している上記問題を克服或いは回避することできる携帯端末用バッテリの充電管理方法を提供することにある。
【００１１】
本発明の実施例によれば、初期充電開始点を設定するステップと、開始時のバッテリ残充電量を統計するための統計・分析区間を設定し、統計・分析区間内におけるパワーオン時のバッテリ残充電量を記録するための統計用配列を作成するステップと、現バッテリ残充電量を読み取り、順番に統計用配列に格納させるステップと、統計用配列を利用して、所定の適応アルゴリズムにより新しい充電開始点を計算するステップと、新しい充電開始点で初期充電開始点を更新させるステップとを含む携帯端末用バッテリの充電管理方法を提供する。
【００１２】
なお、ＡＣ／ＤＣアダプタを携帯端末に接続して給電を始めるときに、現バッテリ残充電量を読み取る。
【００１３】
なお、統計・分析区間は、所定のパワーオン回数または所定の時間範囲であってもよい。
【００１４】
ここで、統計用配列における要素は、Ａｓｏｃ（１）、Ａｓｏｃ（２）、…、Ａｓｏｃ（Ｎ）で示され、順番にＮ回のパワーオン時のバッテリ残充電量を記録し、要素の初期値を０とし、ただし、Ｎは１以上の整数である。
【００１５】
充電開始点を計算するとき、まず、統計用配列に統計されているバッテリ残充電量に基づいて、携帯端末がＡＣ／ＤＣアダプタから外された後の電力の最大消費量を計算する。ここで、次の式で、Ｕで示す電力の最大消費量を計算してもよい。
Ｕ＝Ｍａｘ（Ａｓｏｃ（２）−Ａｓｏｃ（１），…，Ａｓｏｃ（Ｎ）−Ａｓｏｃ（Ｎ−１））。
【００１６】
新しい充電開始点として、次の式で、Ｓで示す第一の充電開始点を計算する。
Ｓ＝Ｍｉｎ（Ｍａｘ（Ｓｍｉｎ，Ｕ），Ｓｍａｘ）、
ただし、Ｓｍｉｎは最小の充電開始点で、Ｓｍａｘは最大の充電開始点である。そして、Ｓｍｉｎ＝５、Ｓｍａｘ＝９６である。
【００１７】
また、新しい充電開始点として、次の式で、Ｓ２で示す第二の充電開始点を計算してもよい。
Ｓ２＝Ｓ＋（Ｓｍａｘ−Ｓ）＊ｃ、ただし、０＜ｃ＜１。
【００１８】
本発明の他の実施例によれば、初期充電開始点を設定する初期充電開始点設定モジュールと、開始時のバッテリ残充電量を統計するための統計・分析区間を設定する統計・分析区間設定モジュールと、統計・分析区間内におけるパワーオン時のバッテリ残充電量を記録するための統計用配列を作成する統計用配列作成モジュールと、現バッテリ残充電量を読み取り、順番に統計用配列に格納させる読取モジュールと、統計用配列を利用して、所定の適応アルゴリズムにより新しい充電開始点を計算する計算モジュールと、計算モジュールにより計算された新しい充電開始点で初期充電開始点を更新させる更新モジュールとを含む携帯端末用バッテリの充電管理装置を提供する。
【００１９】
なお、ＡＣ／ＤＣアダプタを携帯端末に接続して給電を始めるときに、現バッテリ残充電量を読み取る。
【００２０】
また、統計・分析区間は、所定のパワーオン回数または所定の時間範囲であってもよい。そして、統計用配列における要素は、Ａｓｏｃ（１）、Ａｓｏｃ（２）、…、Ａｓｏｃ（Ｎ）で示され、順番にＮ回のパワーオン時のバッテリ残充電量を記録し、要素の初期値を０とし、ただし、Ｎは１以上の整数である。
【００２１】
計算モジュールは、統計用配列に統計されているバッテリ残充電量に基づいて、携帯端末がＡＣ／ＤＣアダプタから外された後の電力の最大消費量を計算する。
【００２２】
計算モジュールは、次の式で、Ｕで示す電力の最大消費量を計算する。
Ｕ＝Ｍａｘ（Ａｓｏｃ（２）−Ａｓｏｃ（１），…，Ａｓｏｃ（Ｎ）−Ａｓｏｃ（Ｎ−１））。
【００２３】
計算モジュールは、新しい充電開始点として、次の式で、Ｓで示す第一の充電開始点を計算する。
Ｓ＝Ｍｉｎ（Ｍａｘ（Ｓｍｉｎ，Ｕ），Ｓｍａｘ）、ただし、Ｓｍｉｎは最小の充電開始点で、Ｓｍａｘは最大の充電開始点である。なお、Ｓｍｉｎ＝５、Ｓｍａｘ＝９６である。
【００２４】
また、計算モジュールは、新しい充電開始点として、次の式で、Ｓ２で示す第二の充電開始点を計算してもよい。
Ｓ２＝Ｓ＋（Ｓｍａｘ−Ｓ）＊ｃ、ただし、０＜ｃ＜１。
【００２５】
上記した本発明の技術によれば、測定により、最適化された充電開始点を計算し、バッテリの充電回数を低減させることができる。それによって、バッテリの寿命が延びるようになる。特に、たまにバッテリ給電を利用するユーザにとって、知的に大幅にバッテリの寿命を伸ばし、爆発の確率を大幅に低減させることができる。
【００２６】
ここで説明した添付の図面は、発明を更に理解できるように提供するものであり、本願の一部として構成されている。本発明の模式的な実施例及びその説明は本発明を解釈するものであり、本発明に対する不適当な限定にはならない。
【発明を実施するための最良の形態】
【００２７】
以下、本発明の実施例について、図面を参照しながら詳細に説明する。
【００２８】
［方法の実施例］
実施例において、携帯端末用バッテリの充電管理方法を提供する。
図３に示すように、本発明の方法の実施例による携帯端末用バッテリの充電管理方法は、初期充電開始点を設定するステップＳ３０２と、開始時のバッテリ残充電量を統計する（好ましくは、バッテリ残充電量のパーセンテージを読み取り可能）ための統計・分析区間を設定し、統計・分析区間内におけるパワーオン時のバッテリ残充電量を記録するための統計用配列を作成するステップＳ３０４と、現バッテリ残充電量を読み取り、順番に統計用配列に格納させるステップ３０６と、所定の適応アルゴリズムにより新しい充電開始点を計算するステップ３０８と、新しい充電開始点で初期充電開始点を更新させるステップ３１０とを含む。
【００２９】
なお、この方法では、ＡＣ／ＤＣアダプタからの給電がないと、バッテリ容量の読み取りを行わない。バッテリ残充電量の読み取りのタイミングは、ＡＣ／ＤＣアダプタを接続して給電を始める時とする。通常、ノートパソコンのメインボードにおける埋込み型コントローラ（ＥＣ）によって発見され、「ＡＣ／ＤＣアダプタからの電源供給があるか」という状態を反映させる該当レジスターがある。
【００３０】
統計・分析区間（すなわち、データ収集のタイミング）は、所定のパワーオン回数または所定の時間範囲としてもよい。統計アルゴリズムをなるべくユーザの今の利用習慣に合わせるために、配列のデータ量が最も近いＮ個のデータを使う。データ量のＮをどのくらいにするかについて、ユーザ次第であって、ユーザ自身で定義してもよい。データが少なければ少ないほど、今の利用習慣に近いので、利用習慣が大きく変わるユーザに対して最適である。一方、データが多ければ多いほど、長い間の利用習慣に近いので、利用習慣が安定しているユーザに対して最適である。
【００３１】
具体的に、統計区間は、Ｎ回のパワーオン、またはＮ日（例えば９０日）、またはＮヶ月としてもよい。そして、統計用配列における要素は、Ａｓｏｃ（１）、Ａｓｏｃ（２）、…、Ａｓｏｃ（Ｎ）で示され、順番にＮ回のパワーオン時のバッテリ残充電量を記録する。また、その要素の初期値を０としている。バッテリパックの残充電量のパーセンテージは、通常に０−１００（１００％を超える可能）である。本文では、Ｎは１以上の整数である。
【００３２】
なお、ここでのＡｓｏｃがバッテリ容量の残充電量パーセンテージであって、知能型のバッテリのＡｂｓｏｌｕｔｅ  Ｓｔａｔｅ  Ｏｆ  Ｃｈａｒｇｅ（）のパラメータを参照してもよい。
【００３３】
実際に、その統計用配列の最大サイズはＮｍａｘ（Ｎ＜＝Ｎｍａｘ）としてもよい。記録されたパワーオン時のＡｓｏｃの値は、Ａｓｏｃ（１）、Ａｓｏｃ（２）、…、Ａｓｏｃ（Ｎｍａｘ）で示す。記録されたデータは、時間的に過去から現在までの順番で並べると、Ａｓｏｃ（Ｎｍａｘ）、…、Ａｓｏｃ（Ｎ）、Ａｓｏｃ（Ｎ−１）、…、Ａｓｏｃ（２）、Ａｓｏｃ（１）になる。データの初期値はすべて０とする。ただし、実際に計算するとき、最も近いＮ個のデータＡｓｏｃ（Ｎ）、Ａｓｏｃ（Ｎ−１）…Ａｓｏｃ（２）、Ａｓｏｃ（１）によって、最適なバッテリの充電開始点を推算することが好ましい。
【００３４】
充電開始点を計算するとき、まず、統計用配列に統計されているバッテリ残充電量によって、携帯端末のＡＣ／ＤＣアダプタから外された後の電力の最大消費量を計算する。なお、次の式で、Ｕで示す電力の最大消費量を計算することができる。
Ｕ＝Ｍａｘ（Ａｓｏｃ（２）−Ａｓｏｃ（１），…，Ａｓｏｃ（Ｎ）−Ａｓｏｃ（Ｎ−１））。
【００３５】
なお、一般に、通常のノートパソコンのバッテリが０からフル充電されるまでに必要な時間がノートパソコンの利用（放電）時間より短いので、Ｕ以上の値を選び充電開始点Ｓ（最適な開始点）を計算することで、ＡＣ／ＤＣアダプタから外されるときにＵ以上の充電量を確保することができる。
【００３６】
そして、以上に計算されたＵ値に基づいて、次の式で、Ｓで示す第一の充電開始点を新しい充電開始点として計算することが好ましい。
Ｓ＝Ｍｉｎ（Ｍａｘ（Ｓｍｉｎ，Ｕ），Ｓｍａｘ）
【００３７】
ただし、Ｓｍｉｎは最小の充電開始点で、Ｓｍａｘは最大の充電開始点である。通常、バッテリの特性や使用上の必要に応じて、充電開始点に対して、上限と下限を両方とも求められる（過高の充電開始点がトリクル充電になるため）。例えば、Ｌｉ−Ｉｏｎバッテリは、Ｓｍｉｎ＝５、Ｓｍａｘ＝９６とすることが好ましい。
【００３８】
さらに、次の式で、Ｓ２で示す第二の充電開始点を新しい充電開始点として計算してもよい。ここで、Ｓ２はより保守的な充電開始点である。
Ｓ２＝Ｓ＋（Ｓｍａｘ−Ｓ）＊ｃ，ただし、０＜ｃ＜１。
【００３９】
なお、ｃの値を３０％とすることが好ましい。そして、ｃの値を大きくするほど、ユーザの利用習慣上で、与えられる残充電量が多くなる。すなわち、ユーザがＡＣ／ＤＣアダプタを外しても、利用するときにバッテリ不足の可能性が低くなる。
【００４０】
図４ａ、４ｂは、本発明の実施例による携帯端末バッテリの充電管理方法を、たまにバッテリ給電を利用するノートパソコンに適用する時に得られるバッテリグラフである。
【００４１】
図４ａでは、以上のように計算された第一の充電開始点Ｓが用られている。このとき、該当ユーザが使っているノートパソコンは、１−２月に１回しか充電していないもの（常にＡＣ給電を利用）であるので、ノートパソコン全体の利用寿命において、バッテリパック（一般的に、リチウムバッテリにより５００回の充放電ができる）を取り替えることはない。そして、利用習慣が突然に変わっても（交流電力がなくなる場合）、５０％の充電量が残る確率がまだ５０％ある。
【００４２】
図４ｂでは、本発明の充電開始点Ｓ２が用られている。この図から、ユーザのバッテリ利用率が図４ａのバッテリ利用率よりやや高くて、そして図４ｂの充電開始点が図４ａの充電開始点より高いことが分かる。このとき、利用習慣が突然に変わっても（交流電力がなくなる場合でも）、５０％の充電量が残る確率はまだ５０％ある。これらの図において、両方とも長い時間に１回しか充電しないことを示すので、バッテリを効果的に保護することができる。
【００４３】
図５ａ、５ｂは、本発明の実施例による携帯端末バッテリの充電管理方法をよくバッテリ給電を利用するノートパソコンに適用する時に得られるバッテリグラフである。
【００４４】
図５ａから、該当ユーザが使っているノートパソコンのバッテリに対して、充電回数が２０〜３０回から５回に下がることにより、充電回数が大幅に減少するので、安全性を大きく向上させていることが分かる。
【００４５】
図５ｂには、常にバッテリ残充電量なしのことを示している。つまり、バッテリがよく使用されることである。同図から、いつでも使えるように、充電開始点をより高く設定し（ほぼ１００％）、ノートパソコンに交流電力を与えると直ちに充電開始させるのを確実にすることが分かる。
【００４６】
図４ａ、４ｂ及び図５ａ、５ｂから、それぞれ統計されたバッテリ残充電量が一つの充電開始点に対応していることが分かる。統計を行うたびに充電開始点を計算する必要がある。それは、新しい統計データが増加されるとユーザの利用習慣情報を更新する必要があるので、それに応じて充電開始点を更新するからである。
【００４７】
［装置の実施例］
本実施例において、携帯端末用バッテリの充電管理装置６００を提供する。
図６に示すように、本実施例による携帯端末用バッテリの充電管理装置６００は、初期充電開始点を設定する初期充電開始点設定モジュール６０２と、開始時のバッテリ残充電量を統計するための統計・分析区間を設定する統計・分析区間設定モジュール６０４と、統計・分析区間内におけるパワーオン時のバッテリ残充電量を記録するための統計用配列を作成する統計用配列作成モジュール６０６と、現バッテリ残充電量を読み取り（好ましく、バッテリ残充電量のパーセンテージを読み取る可能）、順番に統計用配列に格納させる読取モジュール６０８と、所定の適応アルゴリズムにより新しい充電開始点を計算する計算モジュール６１０と、計算モジュール６１０により計算された新しい充電開始点で初期充電開始点を更新させる更新モジュール６１２とを含む。
【００４８】
なお、ＡＣ／ＤＣアダプタを携帯端末に接続して給電を始めるときに、読取モジュール６０８は、携帯端末の現バッテリ残充電量を読み取る。つまり、バッテリ給電モードが交流電力給電モードに切り替わるとき、携帯端末の現バッテリ残充電量を一回に読み取る。
【００４９】
また、統計・分析区間は、所定のパワーオン回数、または所定の時間範囲としてもよい。そして、統計用配列における要素は、Ａｓｏｃ（１）、Ａｓｏｃ（２）、…、Ａｓｏｃ（Ｎ）で示され、順番にＮ回のパワーオン時のバッテリ残充電量を記録する。また、その要素の初期値を０とし、ただし、Ｎは１以上の整数である。
【００５０】
計算モジュール６１０は、統計用配列に統計されているバッテリ残充電量によって、携帯端末のＡＣ／ＤＣアダプタから外された後の電力の最大消費量を統計する。
【００５１】
計算モジュール６１０は、次の式で、Ｕで示す電力の最大消費量を計算する。
Ｕ＝Ｍａｘ（Ａｓｏｃ（２）−Ａｓｏｃ（１），…，Ａｓｏｃ（Ｎ）−Ａｓｏｃ（Ｎ−１））。
【００５２】
計算モジュール６１０は、次の式で、Ｓで示す第一の充電開始点を新しい充電開始点として計算する。
Ｓ＝Ｍｉｎ（Ｍａｘ（Ｓｍｉｎ，Ｕ），Ｓｍａｘ）
ただし、Ｓｍｉｎは最小の充電開始点で、Ｓｍａｘは最大の充電開始点である。また、Ｌｉ−Ｉｏｎバッテリは、Ｓｍｉｎ＝５、Ｓｍａｘ＝９６とすることが好ましい。
【００５３】
さらに、次の式で、Ｓ２で示す第二の充電開始点を新しい充電開始点として計算する。ここで、Ｓ２はより保守的な充電開始点である。
Ｓ２＝Ｓ＋（Ｓｍａｘ−Ｓ）＊ｃ
ただし、０＜ｃ＜１。なお、ｃの値を３０％とすることが好ましい。
【００５４】
本実施例による携帯端末用バッテリの充電管理装置６００をノートパソコンに適用して、図４ａと４ｂ、及び図５ａと５ｂに示す効果と同じ効果が得られることに明らかになった。また、方法の実施例に説明したいろんな特定の詳細は、装置の実施例に同様に適用できるので繰り返しの説明を省略する。
【００５５】
以上により、本発明の技術案によれば、ノートパソコンがユーザのバッテリ使用状況に対して統計や分析し（例えば、知能型バッテリの内部プログラム、メインボードのＥＣプログラム、ＢＩＯＳプログラム、またはオペレーティングシステム（ＯＳ）におけるアプリケーションプログラムによって実現してもよい）、測定により最適な充電開始点を計算することができる。それによって、バッテリの寿命が延びるようになる。特に、たまにバッテリ給電を利用するユーザにとって、知的に大幅にバッテリの寿命を伸ばし、爆発の確率を大幅に低減させることができる。
【００５６】
以上述べたのは、本発明に最適な実施例すぎず、本発明を限定するものではない。当業者にとって、本発明において様々な修正や変更を行うことが可能であり、本発明の精神や原則から逸脱しない限り、すべての修正、同等の置換、改良などは、本発明の保護範囲に包含するものとする。
【図面の簡単な説明】
【００５７】
【図１】かかる技術によるノートパソコンのバッテリ充電における充電量グラフである。
【図２】かかる技術による一定の９６％充電開始点と１００％充電終了点とする時のバッテリの充電量グラフである。
【図３】本発明の方法の実施例による携帯端末用バッテリの充電管理方法のフローチャートである。
【図４ａ】本発明の実施例による充電管理方法をたまにバッテリ給電を利用するノートパソコンに適用するときに得られるバッテリグラフである。
【図４ｂ】本発明の実施例による充電管理方法をたまにバッテリ給電を利用するノートパソコンに適用するときに得られるバッテリグラフである。
【図５ａ】本発明の実施例による充電管理方法をよくバッテリ給電を利用するノートパソコンに適用するときに得られるバッテリグラフである。
【図５ｂ】本発明の実施例による充電管理方法をよくバッテリ給電を利用するノートパソコンに適用するときに得られるバッテリグラフである。
【図６】本発明の装置の実施例による充電管理装置のブロック図である。
【図１】
2009017775.tif 000003
【図２】
2009017775.tif 000004
【図３】
2009017775.tif 000005
【図４ａ】
2009017775.tif 000006
【図４ｂ】
2009017775.tif 000007
【図５ａ】
2009017775.tif 000008
【図５ｂ】
2009017775.tif 000009
【図６】
2009017775.tif 000010